(57)【特許請求の範囲】
【請求項１】
可撓性の偏平な長いバンド体の基部に、そのバンド体をその幅方向で位置決めして表向き及び裏向きでのみ挿入可能な挿通孔を形成する筒形部が設けられ、この筒形部に、上記挿通孔の入口側から出口側に向かう正方向に突き出た弾性変形可能な爪片が設けられ、上記バンド体の表裏いずれかの面に、このバンド体を表向きで上記挿通孔に正方向に挿入したときに上記爪片を乗り越えてその爪片に係止することによりその挿通孔からのこのバンド体の引抜きを阻止する多数の爪部が鋸歯状に並べて設けられている結束バンドにおいて、
上記バンド体の表裏いずれかの面の先端部近傍箇所であってそのバンド体の幅方向片側に偏った箇所に突起が設けられ、上記挿通孔に、表向きの上記バンド体をその挿通孔に正方向に挿入したときに上記突起を通過させる凹条が設けられていると共に、上記筒形部又は上記爪片に、裏向きの上記バンド体を上記挿通孔に逆方向に挿入したとき、捩じって裏向きにした上記バンド体を上記挿通孔に正方向に挿入したとき、並びに、捩じって表向きにした上記バンド体を上記挿通孔に逆方向に挿入したときに、上記突起に係合して上記挿通孔への上記バンド体の挿入を阻止する係合部が備わっていることを特徴とする結束バンド。
【請求項２】
多数の上記爪部がバンド体の裏面に設けられ、上記突起がバンド体の表面に設けられている請求項１に記載した結束バンド。
【請求項３】
裏向きの上記バンド体を上記挿通孔に逆方向に挿入したときの上記係合部が、上記爪片の先端部によって形成されており、捩じって裏向きにした上記バンド体を上記挿通孔に正方向に挿入したときの上記係合部が、上記筒形部の入口側端部によって形成されており、捩じって表向きにした上記バンド体を上記挿通孔に逆方向に挿入したときの上記係合部が、上記筒形部の出口側端部によって形成されている請求項２に記載した結束バンド。
【発明の詳細な説明】
【０００１】
【発明の属する技術分野】
本発明は、主に袋物や施錠部分などを封緘するときに用いられる結束バンドに関する。
【０００２】
【従来の技術】
この種の従来の結束バンドの要部を図１３〜図１６を参照して説明する。この結束バンドは合成樹脂の一体成形体で形成されていて、可撓性を有する長いバンド体１の基部１１に筒形部３が一体に設けられている。筒形部３は、バンド体１をその幅方向で位置決めして表向き及び裏向きでのみ挿入可能な挿通孔３３を形成している。また、筒形部３の内部に、その入口３１側から出口３２側に向かう正方向に斜めに突き出た弾性変形可能な爪片４が設けられている。これに対し、バンド体１の裏面に多数の爪部５が鋸歯状に並べて設けられている。
【０００３】
このような従来の結束バンドにおいて、図１３で判るように時計回りにループ状にしたバンド体１を、同図のように、捩じらずに表向きにして挿通孔３３に正方向Ｘに挿入すると（以下「表向き正挿入」という）、爪片４を撓ませながら乗り越えたバンド体１側の所定の爪部５が爪片４に係止するので、その爪片４によって挿通孔３３からのバンド体１の引抜きが阻止される。したがって、ループを形成したバンド体１で、たとえば袋物の開き口を結束して封緘したり、施錠部分を封緘したりすることが可能である。
【０００４】
【発明が解決しようとする課題】
従来の結束バンドにおいて、バンド体１には時計回りのループを形成させることができるだけでなく、その逆の反時計回りのループを形成させることもできる。また、筒形部３の挿通孔３３に対しては、図１３に示した正方向Ｘにバンド体１を挿入することができるだけでなく、その逆方向にもバンド体１を挿入することかできる。さらに、バンド体１が可撓性を有しているため、バンド体１を捩じれば、反時計回りのループを形成させたバンド体１を表向き（表面がループの外側に位置する状態を指す。以下同じ）にすることも、時計回り又は反時計回りのループを形成させたバンド体１を裏向き（裏面がループの外側に位置する状態を指す。以下同じ）にすることも可能である。
【０００５】
このため、図１４のように、反時計回りのループを形成したバンド体１を、捩じらずに裏向きにして挿通孔３３に逆方向Ｙに挿入したり（以下「裏向き逆挿入」という）、図１５のように、時計回りのループを形成したバンド体１を、捩じって裏向きにして挿通孔３３に正方向Ｘに挿入したり（以下「裏向き正挿入」という）、図１６のように、反時計回りのループを形成したバンド体１を、捩じって表向きにして挿通孔３３に逆方向Ｙに挿入したり（以下「表向き逆挿入」という）することも可能である。
【０００６】
ところが、図１４の裏向き逆挿入や図１５の裏向き正挿入が行われた場合には、爪部５の設けられていないバンド体１の表面が筒形部３の爪片４に当たるだけになるので、筒形部１からのバンド体１の引抜き防止作用がまったく発揮されない。また、図１６の表向き逆挿入が行われた場合には、バンド体１の爪部５の背面に筒形部３の爪片４が当たるだけであるので、同様に、爪片４によるバンド体１の引抜き防止作用が発揮されない。図１４〜図１６の場合でも、バンド体１が筒形部３に挿入されているので、見かけ上は、封緘が行われているようにも見える。
【０００７】
このため、従来の結束バンドでは、図１４〜図１６の状態が得られることを悪用して「改ざん」を行うことが可能であった。そして、このような「改ざん」が行われている場合には、ループを形成しているバンド体１を引っ張ると、バンド体１が筒形部３から容易に抜け出てしまうので、そのようにして封緘を解除することが可能である。
【０００８】
本発明は以上の事情の下でなされたものであり、上記した「裏向き逆挿入」「裏向き正挿入」「表向き逆挿入」といった「改ざん」の可能な状態を作り出すことのできない結束バンドを提供することを目的とする。
【０００９】
【課題を解決するための手段】
本発明に係る結束バンドでは、可撓性の偏平な長いバンド体の基部に、そのバンド体をその幅方向で位置決めして表向き及び裏向きでのみ挿入可能な挿通孔を形成する筒形部が設けられ、この筒形部に、上記挿通孔の入口側から出口側に向かう正方向に突き出た弾性変形可能な爪片が設けられ、上記バンド体の表裏いずれかの面に、このバンド体を表向きで上記挿通孔に正方向に挿入したときに上記爪片を乗り越えてその爪片に係止することによりその挿通孔からのこのバンド体の引抜きを阻止する多数の爪部が鋸歯状に並べて設けられている。
【００１０】
この構成を有していると、図１３で説明した「表向き正挿入」を行うことが可能になるので、ループを形成したバンド体で、たとえば袋物の開き口や施錠部分を封緘したり、配線類を結束したりすることが可能である。また、この「表向き正挿入」を行った場合には、バンド体が引抜き方向に引っ張られても、爪片がバンド体の引抜きを阻止する。
【００１１】
本発明に係る結束バンドでは、上記バンド体の表裏いずれかの面の先端部近傍箇所であってそのバンド体の幅方向片側に偏った箇所に突起が設けられ、上記挿通孔に、表向きの上記バンド体をその挿通孔に正方向に挿入したときに上記突起を通過させる凹条が設けられていると共に、上記筒形部又は上記爪片に、裏向きの上記バンド体を上記挿通孔に逆方向に挿入したとき、捩じって裏向きにした上記バンド体を上記挿通孔に正方向に挿入したとき、並びに、捩じって表向きにした上記バンド体を上記挿通孔に逆方向に挿入したときに、上記突起に係合して上記挿通孔への上記バンド体の挿入を阻止する係合部が備わっている。
【００１２】
このようになっていると、「表向き正挿入」を行うときには、バンド体側の突起が挿通孔に設けられている凹条を通り抜けるので、バンド体を筒形部の挿通孔に挿入することが可能である。しかし、上記した「裏向き逆挿入」「裏向き正挿入」「表向き逆挿入」が行われようとしたときには、筒形部又は上記爪片に設けられている係合部がバンド体側の突起に係合して、挿通孔へのバンド体の挿入が阻止される。したがって、バンド体を締め付けることができなくなり、上記した「裏向き逆挿入」「裏向き正挿入」「表向き逆挿入」といった「改ざん」の可能な状態を作り出すことができない。
【００１３】
本発明の結束バンドにおいては、多数の上記爪部がバンド体の裏面に設けられ、上記突起がバンド体の表面に設けられているものであってもよい。また、裏向きの上記バンド体を上記挿通孔に逆方向に挿入したときの上記係合部が、上記爪片の先端部によって形成されており、捩じって裏向きにした上記バンド体を上記挿通孔に正方向に挿入したときの上記係合部が、上記筒形部の入口側端部によって形成されており、捩じって表向きにした上記バンド体を上記挿通孔に逆方向に挿入したときの上記係合部が、上記筒形部の出口側端部によって形成されているものであってもよい。
【００１４】
【発明の実施の形態】
図１は本発明の結束バンドＡの実施の一形態を示した側面図、図２は上記結束バンドＡを表側から見た正面図、図３は上記結束バンドＡを裏側から見た正面図、図４は後述する突起６と凹条７との位置関係を表した一部省略正面図、図５はバンド体１が捩じられた状態を表した一部省略正面図、図６は図２のＶＩ部の拡大図、図７は図６のＶＩＩ−ＶＩＩ線に沿う断面図である。
【００１５】
結束バンドＡは６６ナイロンのような強靱な合成樹脂で一体成形されている。この結束バンドＡにおいて、図１〜図３のように可撓性を有する偏平な長いバンド体１の基部１１に筒形部３が一体に設けられている点、筒形部３によって挿通孔３３が形成されている点、図６及び図７のように筒形部３の内部に、挿通部３３の入口３１側から出口３２側に向かって斜めに突き出た弾性変形可能な爪片４が設けられている点、図３及び図５のようにバンド体１の裏面に多数の爪部５が鋸歯状に並べて設けられている点、などは、従来例として図１３などで説明した結束バンドと同様である。
【００１６】
図２及び図４のように、バンド体１の表面の先端部近傍箇所であってそのバンド体１の幅方向片側に偏った箇所、具体的には幅方向片側の端縁部に突起６が設けられている。また、図４に説明的に示したように、筒形部３の挿通孔３３の所定箇所、具体的には、上記突起６の設置箇所を通ってバンド体１の長手方向に延びる仮想直線Ｌが挿通孔３３の孔壁面と交差する箇所に凹条７が設けられている。したがって、この凹条７は、挿通孔３３の孔幅方向に偏った箇所に設けられている。この凹条７は、上記突起６の幅よりも少し広い幅を有していて、挿通孔３３にバンド体１を表向きで正方向に挿入したとき、すなわち「表向き正挿入」を行ったときに上記突起６を通過させる機能を有している。
【００１７】
また、図７に示した爪片４の先端部、筒形部３の入口側端部、筒形部３の出口側端部によって、上記突起６に対する係合部４１、３４、３５がそれぞれ形成されている。
【００１８】
上記結束バンドＡにおいて、バンド体１には、図１のような時計回りのループを形成させることができるだけでなく、その逆の反時計回りのループを形成させることもできる。また、バンド体１が可撓性を有しているため、バンド体１を図５の矢印Ｚのように捩じることもできる。さらに、筒形部３の挿通孔３３に挿入したバンド体１は、その挿通孔３３によってその幅方向で位置決めされる。
【００１９】
しかし、この結束バンドＡにあっては、上記した突起６や凹条７、及び係合部４１，３４，３５の作用によって、「表向き正挿入」を行うことは可能であるが、「裏向き逆挿入」「裏向き正挿入」「表向き逆挿入」を行うことができなくなり、その結果「改ざん」を防止できるようになる。このことを図８〜図１２を参照して説明する。
【００２０】
図８は「表向き正挿入」を行った場合を示している。この場合は、時計回りのループを形成したバンド体１を捩じらずに表向きにして挿通孔３３に正方向Ｘに挿入される。この「表向き正挿入」が行われると、突起６が凹条７を通過するので、爪片４を撓ませながら乗り越えたバンド体１側の所定の爪部５が爪片４に係止し、その爪片４によって挿通孔３３からのバンド体１の引抜きが阻止される。したがって、ループを形成したバンド体１で、たとえば袋物の開き口を結束して封緘したり、施錠部分を封緘したりすることが可能である。
【００２１】
図９は「裏向き逆挿入」を行おうとした場合を示している。この場合は、反時計回りのループを形成したバンド体１を捩じらずに裏向きにして、その先端部１２が挿通孔３３に逆方向Ｘに挿入される。このような挿入が行われると、バンド体１側の突起６が図示のように爪片４の先端部によって形成されている係合部４１に係合するので、それ以上はバンド体１を挿入することができない。したがって、バンド体１を締め付けることはできなくなり、「改ざん」が防止される。
【００２２】
図１０は「裏向き正挿入」を行おうとした場合を示している。この場合は、時計回りのループを形成したバンド体１を捩じって裏向きにして、その先端部１２が挿通孔３３に正方向Ｘに挿入される。このような挿入が行われると、バンド体１側の突起６が図示のように筒形部３の入口側端部によって形成されている係合部３４に係合するので、それ以上はバンド体１を挿入することができない。したがって、バンド体１を締め付けることはできなくなり、「改ざん」が防止される。
【００２３】
図１１及び図１２は「表向き逆挿入」を行おうとした場合を示している。この場合は、反時計回りのループを形成したバンド体１を捩じって表向きにして、その先端部１２が挿通孔３３に逆方向Ｙに挿入される。このような挿入が行われると、バンド体１側の突起６が図示のように筒形部３の出口側端部によって形成されている係合部３５に係合するので、それ以上はバンド体１を挿入することができない。したがって、バンド体１を締め付けることはできなくなり、「改ざん」が防止される。
【００２４】
なお、図８〜図１２で説明したいずれの場合も、爪片４はバンド体１側の爪部５を係止しない。
【００２５】
以上説明した実施形態では、バンド体１の裏面に爪部５が設けられ、バンド体１の表面に突起６が設けられているけれども、爪部５や突起６は、バンド体の表裏いずれかの面に設けられていてもよい。要するに、「表向き正挿入」を行ったときに、突起が凹条を通過し、「裏向き逆挿入」「裏向き正挿入」「表向き逆挿入」を行おうとしたときには、突起に係合して挿通孔へのバンド体の挿入を阻止する係合部が備わっていればよい。
【００２６】
【発明の効果】
以上のように、本発明に係る結束バンドによると、「裏向き逆挿入」「裏向き正挿入」「表向き逆挿入」といった「改ざん」の可能な状態を作り出すことができなくなるという効果が奏される。
【００２７】
なお、本発明に係る結束バンドは、袋物の封緘だけでなく、一般的な電気配線やハーネスなどの結束、袋のラッピングなどにも利用することが可能である。
【図面の簡単な説明】
【図１】本発明の結束バンドの実施の一形態を示した側面図である。
【図２】上記結束バンドを表側から見た正面図である。
【図３】上記結束バンドを裏側から見た正面図である。
【図４】突起と凹条との位置関係を表した一部省略正面図である。
【図５】バンド体が捩じられた状態を表した一部省略正面図である。
【図６】図２のＶＩ部の拡大図である。
【図７】図６のＶＩＩ−ＶＩＩ線に沿う断面図である。
【図８】「表向き正挿入」を行った場合の要部の断面図である。
【図９】「裏向き逆挿入」を行おうとした場合の要部の断面図である。
【図１０】「裏向き正挿入」を行おうとした場合の要部の断面図である。
【図１１】「表向き逆挿入」を行おうとした場合の要部の断面図である。
【図１２】「表向き逆挿入」を行おうとした場合の要部の側面図である。
【図１３】従来の結束バンドにおいて、「表向き正挿入」を行った場合の要部の断面図である。
【図１４】従来の結束バンドにおいて、「裏向き逆挿入」を行った場合の要部の断面図である。
【図１５】従来の結束バンドにおいて、「裏向き正挿入」を行った場合の要部の断面図である。
【図１６】従来の結束バンドにおいて、「表向き逆挿入」を行った場合の要部の断面図である。
【符号の説明】
Ａ  結束バンド
１  バンド体
３  筒形部
４  爪片
５  爪部
６  突起
７  凹条
１１  バンド体の基部
３１  入口
３２  出口
３３  挿通孔
３４，３５，４１  係合部
Ｘ  正方向
【図１】
0004121206.tif 000002
【図２】
0004121206.tif 000003
【図３】
0004121206.tif 000004
【図４】
0004121206.tif 000005
【図５】
0004121206.tif 000006
【図６】
0004121206.tif 000007
【図７】
0004121206.tif 000008
【図８】
0004121206.tif 000009
【図９】
0004121206.tif 000010
【図１０】
0004121206.tif 000011
【図１１】
0004121206.tif 000012
【図１２】
0004121206.tif 000013
【図１３】
0004121206.tif 000014
【図１４】
0004121206.tif 000015
【図１５】
0004121206.tif 000016
【図１６】
0004121206.tif 000017